(57)【要約】      （修正有）【課題】無線通信デバイス（ＷＣＤ）によって確立されるように要求されるＰＤＵセッションのためのＩＰバージョン選択のための方法、無線通信デバイス（ＷＣＤ）及びセッション管理ノードを提供する。【解決手段】ＷＣＤは、ＩＰｖ４とＩＰｖ６の両方のＰＤＵセッションをサポートし、ＲＡＮを介してコアネットワーク１０１中のＳＭノードと動作可能に通信するように設定され、ＳＭノードに向けて、第１のＰＤＵセッションの確立を要求する第１のＰＤＵセッション要求メッセージを送信し、第１の応答メッセージを受信する。第１のＰＤＵセッション要求メッセージは、要求された第１のＰＤＵセッションのＩＰバージョンがＩＰｖ４又はＩＰｖ６のうちのいずれか１つであるべきであることを指示するＩＰバージョン情報を含む。第１の応答メッセージは、要求された第１のＰＤＵセッションのために選択されたＩＰバージョンを指示するＷＣＤ情報を含む。【選択図】図３
2022003795.tif 000002
【特許請求の範囲】
【請求項１】
無線通信デバイス（ＷＣＤ）によって確立されるように要求されるプロトコルデータユニット（ＰＤＵ）セッションのためのインターネットプロトコル（ＩＰ）バージョン選択のための方法であって、前記ＷＣＤがインターネットプロトコルバージョン４（ＩＰｖ４）とインターネットプロトコルバージョン６（ＩＰｖ６）の両方のＰＤＵセッションをサポートし、前記ＷＣＤが、無線アクセスネットワーク（ＲＡＮ）を介してコアネットワーク（１０１）中のセッション管理（ＳＭ）ノードと動作可能に通信するように設定され、前記方法は前記ＷＣＤによって実施され、
−  前記ＳＭノードに向けて、第１のＰＤＵセッションの確立を要求する第１のＰＤＵセッション要求メッセージを送信すること（Ｓ１１０）であって、前記第１のＰＤＵセッション要求メッセージは、前記要求された第１のＰＤＵセッションの前記ＩＰバージョンがＩＰｖ４またはＩＰｖ６のうちのいずれか１つであるべきであることを指示するＩＰバージョン情報を含む、第１のＰＤＵセッション要求メッセージを送信すること（Ｓ１１０）と、
−  前記第１のＰＤＵセッション要求メッセージを送信したことに応答して第１の応答メッセージを受信すること（Ｓ１３０、Ｓ１４０）であって、前記第１の応答メッセージが、前記要求された第１のＰＤＵセッションのために選択された前記ＩＰバージョンを指示するＷＣＤ情報を含む、第１の応答メッセージを受信すること（Ｓ１３０、Ｓ１４０）と
を含む、方法。
【請求項２】
前記第１の要求メッセージがＰＤＵセッション確立要求メッセージである、請求項１に記載の方法。
【請求項３】
前記第１の応答メッセージが、前記ＷＣＤ情報を含むＮＡＳメッセージである、請求項１または２に記載の方法。
【請求項４】
前記ＷＣＤ情報は、選択されなかった他方のＩＰタイプ（ＩＰｖ６が選択された場合はＩＰｖ４、およびＩＰｖ４が選択された場合はＩＰｖ６）もサポートされることをさらに指示し、前記方法は前記ＷＣＤによって実施され、
−  前記ＳＭノードに向けて、第２のＰＤＵセッションの確立を要求する第２のＰＤＵセッション要求メッセージを送信すること（Ｓ１１０）であって、前記第２のＰＤＵセッション要求メッセージは、前記要求された第２のＰＤＵセッションの前記ＩＰバージョンが、前に選択されなかったＩＰｖ４またはＩＰｖ６のうちのいずれか１つであるべきであることを指示するＩＰバージョン情報を含む、第２のＰＤＵセッション要求メッセージを送信すること（Ｓ１１０）
を含む、請求項１から３のいずれか一項に記載の方法。
【請求項５】
インターネットプロトコルバージョン４（ＩＰｖ４）とインターネットプロトコルバージョン６（ＩＰｖ６）の両方のＰＤＵセッションを動作可能にサポートし、無線アクセスネットワーク（ＲＡＮ）を介してコアネットワーク（１０１）中のセッション管理（ＳＭ）ノードと動作可能に通信するように設定された、無線通信デバイス（ＷＣＤ）であって、前記ＷＣＤが処理回路要素（２１０）を備え、前記処理回路要素は、前記ＷＣＤに、
−  前記ＳＭノードに向けて、第１のＰＤＵセッションの確立を要求する第１のＰＤＵセッション要求メッセージを送信すること（Ｓ１１０）であって、前記第１のＰＤＵセッション要求メッセージは、前記要求された第１のＰＤＵセッションの前記ＩＰバージョンがＩＰｖ４またはＩＰｖ６のうちのいずれか１つであるべきであることを指示するＩＰバージョン情報を含む、第１のＰＤＵセッション要求メッセージを送信すること（Ｓ１１０）と、
−  前記第１のＰＤＵセッション要求メッセージを送信したことに応答して第１の応答メッセージを受信すること（Ｓ１３０、Ｓ１４０）であって、前記第１の応答メッセージが、前記要求された第１のＰＤＵセッションのために選択された前記ＩＰバージョンを指示するＷＣＤ情報を含む、第１の応答メッセージを受信すること（Ｓ１３０、Ｓ１４０）と
を動作可能に行わせるように設定された、無線通信デバイス（ＷＣＤ）。
【請求項６】
無線通信デバイス（ＷＣＤ）によって確立されるように要求されるプロトコルデータユニット（ＰＤＵ）セッションのためのインターネットプロトコル（ＩＰ）バージョン選択のための方法であって、前記ＷＣＤがインターネットプロトコルバージョン４（ＩＰｖ４）とインターネットプロトコルバージョン６（ＩＰｖ６）の両方のＰＤＵセッションをサポートし、前記ＷＣＤが、無線アクセスネットワーク（ＲＡＮ）を介してコアネットワーク（１０１）中のセッション管理（ＳＭ）ノードと動作可能に通信するように設定され、前記方法は前記ＳＭノードによって実施され、
−  第１のＰＤＵセッションの確立を要求するＳＭ要求メッセージを受信すること（Ｓ１２０）であって、前記ＳＭ要求メッセージは、前記要求された第１のＰＤＵセッションの前記ＩＰバージョンがＩＰｖ４またはＩＰｖ６のうちのいずれか１つであるべきであることを指示するＩＰバージョン情報を含む、ＳＭ要求メッセージを受信すること（Ｓ１２０）と、
−  前記ＳＭ要求メッセージを受信したことに応答して、前記要求された第１のＰＤＵセッションのためのＩＰバージョンを選択すること（Ｓ１３０ａ）と、
−  第１の応答メッセージを送信すること（Ｓ１３０ｂ、１４０）であって、前記第１の応答メッセージが、前記要求された第１のＰＤＵセッションのために選択された前記ＩＰバージョンを指示するＷＣＤ情報を含む、第１の応答メッセージを送信すること（Ｓ１３０ｂ、１４０）と
を含む、方法。
【請求項７】
選択されていない他方のＩＰタイプ（ＩＰｖ６が選択された場合はＩＰｖ４、およびＩＰｖ４が選択された場合はＩＰｖ６）もサポートされることが前記ＷＣＤ情報中でさらに指示される、請求項６に記載の方法。
【請求項８】
無線通信デバイス（ＷＣＤ）によって確立されるように要求されるプロトコルデータユニット（ＰＤＵ）セッションのためのインターネットプロトコル（ＩＰ）バージョンを動作可能に選択するように設定された、コアネットワーク（１０１）中のセッション管理（ＳＭ）ノードであって、前記ＷＣＤがインターネットプロトコルバージョン４（ＩＰｖ４）とインターネットプロトコルバージョン６（ＩＰｖ６）の両方のＰＤＵセッションをサポートし、前記ＳＭノードが処理回路要素（３１０）を備え、前記処理回路要素は、前記ＷＣＤに、
−  第１のＰＤＵセッションの確立を要求するＳＭ要求メッセージを受信すること（Ｓ１２０）であって、前記ＳＭ要求メッセージは、前記要求された第１のＰＤＵセッションの前記ＩＰバージョンがＩＰｖ４またはＩＰｖ６のうちのいずれか１つであるべきであることを指示するＩＰバージョン情報を含む、ＳＭ要求メッセージを受信すること（Ｓ１２０）と、
−  前記ＳＭ要求メッセージを受信したことに応答して、前記要求された第１のＰＤＵセッションのためのＩＰバージョンを選択すること（Ｓ１３０ａ）と、
−  第１の応答メッセージを送信すること（Ｓ１３０ｂ、１４０）であって、前記第１の応答メッセージが、前記要求された第１のＰＤＵセッションのために選択された前記ＩＰバージョンを指示するＷＣＤ情報を含む、第１の応答メッセージを送信すること（Ｓ１３０ｂ、１４０）と
を動作可能に行わせるように設定された、セッション管理（ＳＭ）ノード。
【発明の詳細な説明】
【技術分野】
【０００１】
本明細書で提示される実施形態は、無線通信システムにおけるＰＤＵセッションのセットアップ中のＩＰバージョンの選択のための方法、無線通信デバイス、コンピュータプログラム、およびコンピュータプログラム製品に関する。
【背景技術】
【０００２】
標準化団体第３世代パートナーシッププロジェクト（３ＧＰＰ）は、現在、次世代（ＮＧ）パケットコアネットワーク（ＮＧ−ＣＮまたはＮＧＣまたは５ＧＣ）を含む新しい第５世代（５Ｇ）モバイル電気通信システムを指定するプロセスにある。
【０００３】
５Ｇシステムアーキテクチャは、たとえばネットワーク機能仮想化やソフトウェア規定ネットワーキングなどの技法を使用するための展開を可能にする、データコネクティビティおよびサービスをサポートするために規定される。５Ｇシステムアーキテクチャは、識別された場合、制御プレーン（ＣＰ）ネットワーク機能間のサービスベース対話を活用する。
【０００４】
いくつかの主要な原理および概念は、以下を行うことである。
−  制御プレーン（ＣＰ）機能からユーザプレーン（ＵＰ）機能を分離し、独立したスケーラビリティと、発展と、フレキシブルな展開、たとえば集中型ロケーションまたは分散型（遠隔）ロケーションを可能にすること。
−  たとえばフレキシブルで効率的なネットワークスライシングを可能にするために、機能設計をモジュール化すること。
−  適用可能な場合はいつでも、サービスとしてのプロシージャ（すなわちネットワーク機能間の対話のセット）を、それらの再使用が可能であるように規定すること。
−  各ネットワーク機能が、必要な場合、直接他のＮＦと対話することを可能にすること。５Ｇシステムアーキテクチャは、（たとえばＤＲＡのような）制御プレーンメッセージをルーティングするのを助けるための中間機能の使用を妨げない。
−  アクセスネットワーク（ＡＮ）とコアネットワーク（ＣＮ）との間の依存性を最小限に抑えること。５Ｇシステムアーキテクチャは、異なる３ＧＰＰアクセスタイプと非３ＧＰＰアクセスタイプとを統合する共通ＡＮ−ＣＮインターフェースをもつ収束型アクセスアグノスティックコアネットワークで規定される。
−  統合認証フレームワークをサポートすること。
−  「計算」リソースが「記憶」リソースから切り離されている場合、「ステートレス」ＮＦをサポートすること。
−  能力公開（ｅｘｐｏｓｕｒｅ）をサポートすること。
−  ローカルサービスおよび集中型サービスへのコンカレントアクセスをサポートすること。ローカルデータネットワークへの低レイテンシサービスおよびアクセスをサポートするために、ＵＰ機能は、アクセスネットワークの近くに展開され得る。
−  訪問先ＰＬＭＮにおける、ホームルーティングされたトラフィックならびにローカルブレークアウトトラフィックの両方とのローミングをサポートすること。
【０００５】
図１は、様々なネットワーク機能がどのように互いと対話するかを示す参照ポイント表現を使用する、非ローミング事例における例証する５Ｇシステムアーキテクチャを示す。図１中の例証する５Ｇシステムアーキテクチャは当業者によく知られており、したがって、この５Ｇシステムアーキテクチャは詳細な説明を必要としない。５Ｇシステムアーキテクチャに関するさらなる詳細は、たとえば３ＧＰＰ技術仕様ＴＳ２３．５０１  Ｖ０．４．０（２０１７−０４）において見つけられ得る。
【０００６】
図１中の例証する５Ｇシステムアーキテクチャは、以下のネットワーク機能（ＮＦ）からなる。
−  認証サーバ機能（ＡＵＳＦ）
−  コアアクセスおよびモビリティ管理機能（ＡＭＦ）
−  データネットワーク（ＤＮ）、たとえばオペレータサービス、インターネットアクセス、または第三者サービス
−  構造化データ記憶ネットワーク機能（ＳＤＳＦ）
−  非構造化データ記憶ネットワーク機能（ＵＤＳＦ）
−  ネットワーク公開機能（ＮＥＦ）
−  ＮＦリポジトリ機能（ＮＲＦ）
−  ポリシー制御機能（ＰＣＦ）
−  セッション管理機能（ＳＭＦ）
−  統合データ管理（ＵＤＭ）
−  ユーザプレーン機能（ＵＰＦ）
−  アプリケーション機能（ＡＦ）
−  ユーザ機器（ＵＥ）
−  （無線）アクセスネットワーク（（Ｒ）ＡＮ）
【０００７】
さらに、５Ｇシステムアーキテクチャは、５Ｇシステムにおける機能がそこを介して通信する参照ポイントまたはインターフェースを含んでいる。たとえば、図１中の例証する５Ｇシステムアーキテクチャは、以下の参照ポイントを含んでいる。
Ｎ１：  ＵＥとＡＭＦとの間の参照ポイント。
Ｎ２：  （Ｒ）ＡＮとＡＭＦとの間の参照ポイント。
Ｎ３：  （Ｒ）ＡＮとＵＰＦとの間の参照ポイント。
Ｎ４：  ＳＭＦとＵＰＦとの間の参照ポイント。
Ｎ５：  ＰＣＦとアプリケーション機能（ＡＦ）との間の参照ポイント。
Ｎ６：  ＵＰＦとデータネットワークとの間の参照ポイント。
Ｎ７：  ＳＭＦとＰＣＦとの間の参照ポイント。
Ｎ８：  ＵＤＭとＡＭＦとの間の参照ポイント。
Ｎ９：  ２つのコアＵＰＦ間の参照ポイント。
Ｎ１０：  ＵＤＭとＳＭＦとの間の参照ポイント。
Ｎ１１：  ＡＭＦとＳＭＦとの間の参照ポイント。
Ｎ１２：  ＡＭＦとＡＵＳＦとの間の参照ポイント。
Ｎ１３：  ＵＤＭと認証サーバ機能（ＡＵＳＦ）との間の参照ポイント。
Ｎ１４：  ２つのＡＭＦ間の参照ポイント。
Ｎ１５：  非ローミングシナリオの場合、ＰＣＦとＡＭＦとの間の参照ポイント、ローミングシナリオの場合、訪問先ネットワーク中のＰＣＦとＡＭＦとの間の参照ポイント。
【０００８】
上記の参照ポイントの一部または全部が、当該の５ＧＣ機能に関連する対応するサービスベースインターフェースを有し得ることに留意されたい。たとえば、以下のサービスベースインターフェースは、５Ｇシステムアーキテクチャ中に存在し得る。
Ｎａｍｆ：  ＡＭＦによって呈されるサービスベースインターフェース。
Ｎｓｍｆ：  ＳＭＦによって呈されるサービスベースインターフェース。
Ｎｎｅｆ：  ＮＥＦによって呈されるサービスベースインターフェース。
Ｎｐｃｆ：  ＰＣＦによって呈されるサービスベースインターフェース。
Ｎｕｄｍ：  ＵＤＭによって呈されるサービスベースインターフェース。
Ｎａｆ：  ＡＦによって呈されるサービスベースインターフェース。
Ｎｎｒｆ：  ＮＲＦによって呈されるサービスベースインターフェース。
Ｎａｕｓｆ：  ＡＵＳＦによって呈されるサービスベースインターフェース。
【０００９】
図１の５Ｇシステムアーキテクチャでは、ユーザ機器（ＵＥ）または同様のものが、無線アクセスネットワーク（ＲＡＮ）を介して、たとえばＲＡＮ中に配置された基地局または同様のものを介して、５ＧＣネットワークと動作可能に接続し、通信するように設定されると仮定される。ＵＥまたは同様のものは、オペレータのＲＡＮおよび５ＧＣネットワークが、それらへのアクセス、たとえばインターネットまたは同様のパケットデータネットワーク（ＰＤＮ）へのアクセスを提供する、オペレータのネットワークによって与えられるサービス、またはオペレータのネットワークの外側のサービスに、サブスクライバがアクセスする、デバイスである。図１中のＵＥは、５Ｇシステムにおいて通信することが可能な任意のモバイルまたは固定デバイス、たとえば、限定はしないが、たとえばユーザ機器、モバイルフォン、スマートフォン、センサー、メーター、車両、家庭用器具、医療器具、メディアプレーヤ、カメラ、マシンツーマシン（Ｍ２Ｍ）デバイス、デバイスツーデバイス（Ｄ２Ｄ）デバイス、モノのインターネット（ＩｏＴ）デバイス、または任意のタイプの家電、たとえば、限定はしないが、テレビ、無線機、照明装置、タブレットコンピュータ、ラップトップまたはパーソナルコンピュータ（ＰＣ）であり得る。ＵＥまたは同様のものは、ＲＡＮを介して、たとえば別のＵＥ、またはアプリケーションサーバ（ＡＳ）などのサーバ、あるいは同様のものなど、別のエンティティと音声および／またはデータを通信することが可能な、ポータブル、ポケット収容可能、ハンドヘルド、コンピュータ具備（ｃｏｍｐｕｔｅｒ  ｃｏｍｐｒｉｓｅｄ）、または車両搭載デバイスであり得る。
【００１０】
図１中の無線アクセスネットワーク（ＲＡＮ）は、たとえば基地局または同様のものなど、いくつかのＲＡＮノードを備え得る。ＲＡＮノードは、一方の端部においてＵＥまたは同様のものとの、他方の端部において、ＵＥをサーブする５ＧＣネットワークとの無線通信が可能な任意のエレメントであり得る。
【００１１】
図１中の第５世代コア（５ＧＣ）ネットワークは、様々な機能、たとえばアクセスおよびモビリティ管理機能（ＡＭＦ）、セッション管理機能（ＳＭＦ）およびユーザプレーン機能（ＵＰＦ）などを含んでいる。そのような機能は、本明細書では、交換可能な示されたノードである。そのような機能／ノードは、ハードウェアまたはソフトウェアあるいはハードウェアとソフトウェアとの組合せで実装され得る。そのような機能／ノードは、当該の機能／ノードを論理的に形成する、１つの単一のノードにおいて、あるいは２つまたはそれ以上のサブノードまたは同様のものにおいて実装され得る。サブノードは、同じ地理的ロケーションまたは異なる地理的ロケーションに位置し得る。
【００１２】
図１中のアクセスおよびモビリティ管理機能（ＡＭＦ）は、たとえば以下の機能性を含み得る。ＡＭＦ機能性の一部または全部は、ＡＭＦの単一のインスタンスにおいてサポートされ得る。
−  ＲＡＮ  ＣＰインターフェース（Ｎ２）の終端。
−  ＮＡＳ（Ｎ１）の終端、ＮＡＳ暗号化および完全性保護。
−  登録管理。
−  接続管理。
−  到達可能性管理。
−  モビリティ管理。
−  （ＡＭＦイベント、およびＬＩシステムに対するインターフェースのための）合法的インターセプト。
−  ＵＥとＳＭＦとの間のＳＭメッセージのためのトランスポートを提供する。
−  ＳＭメッセージをルーティングするための透過的プロキシ。
−  アクセス認証。
−  アクセス許可。
−  ＵＥとＳＭＳＦとの間のＳＭＳメッセージのためのトランスポートを提供する。
−  セキュリティアンカー機能（ＳＥＡ）。ＳＥＡは、ＡＵＳＦおよびＵＥと対話し、ＵＥ認証プロセスの結果として確立された中間鍵を受信する。ＵＳＩＭベースの認証の場合、ＡＭＦは、ＡＵＳＦからセキュリティ材料を取り出す。
−  セキュリティコンテキスト管理（ＳＣＭ）。ＳＣＭは、ＳＣＭが、アクセスネットワーク固有鍵を導出するために使用する鍵を、ＳＥＡから受信する。
【００１３】
図１中のセッション管理機能（ＳＭＦ）は、たとえば以下の機能性を含み得る。ＳＭＦ機能性の一部または全部は、ＳＭＦの単一のインスタンスにおいてサポートされ得る。
−  セッション管理、たとえばＵＰＦとＡＮノードとの間のトンネル維持を含む、セッション確立、変更およびリリース。
−  （随意の許可を含む）ＵＥ  ＩＰアドレス割り当ておよび管理。
−  ＵＰ機能の選択および制御
−  適切な宛先にトラフィックをルーティングするように、ＵＰＦにおけるトラフィックステアリングを設定する。
−  ポリシー制御機能に向かうインターフェースの終端
−  ポリシー施行およびＱｏＳの一部を制御する。
−  （ＳＭイベント、およびＬＩシステムに対するインターフェースのための）合法的インターセプト。
−  ＮＡＳメッセージのＳＭ部分の終端。
−  ダウンリンクデータ通知。
−  ＡＭＦを介してＮ２上でＡＮに送信された、ＡＮ固有ＳＭ情報のイニシエータ。
−  セッションのＳＳＣモードを決定する。
−  ローミング機能性。
−  ＱｏＳ  ＳＬＡを適用するためのローカル施行を扱う（ＶＰＬＭＮ）。
−  課金データ収集および課金インターフェース（ＶＰＬＭＮ）。
−  （ＶＰＬＭにおける、ＳＭイベント、およびＬＩシステムに対するインターフェースのための）合法的インターセプト。
−  外部ＤＮによるＰＤＵセッション許可／認証のためのシグナリングのトランスポートのための、外部ＤＮとの対話のサポート。
【００１４】
次に、ＵＥまたは同様のものは、ＵＥまたは同様のものが接続する５ＧＣ機能（たとえばＡＭＦまたはＳＭＦまたは同様のもの）によってサポートされるのがどの（１つまたは複数の）インターネットプロトコル（ＩＰ）バージョン、たとえばＩＰバージョン４（ＩＰｖ４）またはＩＰバージョン６（ＩＰｖ６）かを知らないことがある。それは、ＵＥまたは同様のものが、ＩＰｖ４とＩＰｖ６の両方をサポートするか、または単一のＩＰバージョンのみをサポートするということでもあり得る。
【００１５】
３ＧＰＰエボルブドパケットコア（ＥＰＣ）では、これは、ＵＥがＩＰｖ４とＩＰｖ６の両方をサポートするとき、ＵＥがタイプＩＰｖ４ｖ６のパケットデータネットワーク（ＰＤＮ）接続を要求することを通して扱われた。ＰＤＮ接続は、ＵＥとＰＤＮとの間の関連付けである。次いで、ＥＰＣ（もっと正確に言えば、ＰＤＮ接続要求によってアドレス指定される関連するＥＰＣノード）は、ＰＤＮタイプＩＰｖ４、ＩＰｖ６、ＩＰｖ４ｖ６（デュアルスタック）またはＩＰｖ４＋ＩＰｖ６（あるいは、実際には、ＥＰＣにおいて２つの別個のＰＤＮ接続、すなわちＩＰｖ４接続とＩＰｖ６接続とを生成する、ＩＰｖ６＋ＩＰｖ４を求める原因コード、またはＩＰｖ４＋ＩＰｖ６を求める原因コード）の応答を生成する。
【００１６】
しかしながら、ＩＰｖ４ｖ６セッションは５ＧＣによってサポートされず、これは、ＩＰｖ４とＩＰｖ６の両方を扱うことが可能なＵＥまたは同様のものがプロトコルデータユニット（ＰＤＵ）セッションのためにどのＩＰバージョンを使用すべきかをネットワークに尋ねるやり方を有しなければならないことを意味する。５Ｇ  ＰＤＵセッションは、ＰＤＵセッションがＵＥまたは同様のものとＰＤＮとの間の関連付けであるという点で、ＥＰＣ  ＰＤＮ接続と同様であることが明瞭にされ得る。
【００１７】
したがって、ＰＤＵセッションのためのＩＰバージョンを選択する方法を改善する必要がある。
【発明の概要】
【００１８】
本明細書の実施形態の目的は、ＰＤＵセッションのためのＩＰバージョンを選択する方法を改善することである。
【００１９】
第１の態様によれば、無線通信デバイス（ＷＣＤ）によって確立されるように要求されるプロトコルデータユニット（ＰＤＵ）セッションのためのインターネットプロトコル（ＩＰ）バージョン選択のための方法であって、ＷＣＤがインターネットプロトコルバージョン４（ＩＰｖ４）とインターネットプロトコルバージョン６（ＩＰｖ６）の両方のＰＤＵセッションをサポートし、ＷＣＤが、無線アクセスネットワーク（ＲＡＮ）を介してコアネットワーク中のセッション管理（ＳＭ）ノードと動作可能に通信するように設定された、方法が提示される。
本方法はＷＣＤによって実施され、
−  ＳＭノードに向けて、第１のＰＤＵセッションの確立を要求する第１のＰＤＵセッション要求メッセージを送信することであって、第１のＰＤＵセッション要求メッセージは、要求された第１のＰＤＵセッションのＩＰバージョンがＩＰｖ４またはＩＰｖ６のうちのいずれか１つであるべきであることを指示するＩＰバージョン情報を含む、第１のＰＤＵセッション要求メッセージを送信することと、
−  第１のＰＤＵセッション要求メッセージを送信したことに応答して第１の応答メッセージを受信することであって、第１の応答メッセージが、要求された第１のＰＤＵセッションのために選択されたＩＰバージョン（すなわちＩＰｖ４またはＩＰｖ６）を指示するＷＣＤ情報を含む、第１の応答メッセージを受信することと
を含む。
【００２０】
第２の態様によれば、インターネットプロトコルバージョン４（ＩＰｖ４）とインターネットプロトコルバージョン６（ＩＰｖ６）の両方のＰＤＵセッションを動作可能にサポートし、無線アクセスネットワーク（ＲＡＮ）を介してコアネットワーク中のセッション管理（ＳＭ）ノードと動作可能に通信するように設定された、無線通信デバイス（ＷＣＤ）が提示される。
本ＷＣＤは処理回路要素を備え、処理回路要素は、本ＷＣＤに、ＳＭノードに向けて、第１のＰＤＵセッションの確立を要求する第１のＰＤＵセッション要求メッセージを動作可能に送信することであって、第１のＰＤＵセッション要求メッセージは、要求された第１のＰＤＵセッションのＩＰバージョンがＩＰｖ４またはＩＰｖ６のうちのいずれか１つであるべきであることを指示するＩＰバージョン情報を含む、第１のＰＤＵセッション要求メッセージを送信することと、第１のＰＤＵセッション要求メッセージを送信したことに応答して第１の応答メッセージを受信することであって、第１の応答メッセージが、要求された第１のＰＤＵセッションのために選択されたＩＰバージョン（すなわちＩＰｖ４またはＩＰｖ６）を指示するＷＣＤ情報を含む、第１の応答メッセージを受信することとを行わせるように設定される。
【００２１】
第３の態様によれば、無線通信デバイス（ＷＣＤ）によって確立されるように要求されるプロトコルデータユニット（ＰＤＵ）セッションのためのインターネットプロトコル（ＩＰ）バージョン選択のための方法であって、ＷＣＤがインターネットプロトコルバージョン４（ＩＰｖ４）とインターネットプロトコルバージョン６（ＩＰｖ６）の両方のＰＤＵセッションをサポートし、ＷＣＤが、無線アクセスネットワーク（ＲＡＮ）を介してコアネットワーク（１０１）中のセッション管理（ＳＭ）ノードと動作可能に通信するように設定された、方法が提示される。
本方法はＳＭノードによって実施され、
−  第１のＰＤＵセッションの確立を要求するＳＭ要求メッセージを受信することであって、ＳＭ要求メッセージは、要求された第１のＰＤＵセッションのＩＰバージョンがＩＰｖ４またはＩＰｖ６のうちのいずれか１つであるべきであることを指示するＩＰバージョン情報を含む、ＳＭ要求メッセージを受信することと、
−  ＳＭ要求メッセージを受信したことに応答して、要求された第１のＰＤＵセッションのためのＩＰバージョン（すなわちＩＰｖ４またはＩＰｖ６）を選択することと、
−  第１の応答メッセージを送信することであって、第１の応答メッセージが、要求された第１のＰＤＵセッションのために選択されたＩＰバージョン（すなわちＩＰｖ４またはＩＰｖ６）を指示するＷＣＤ情報を含む、第１の応答メッセージを送信することと
を含む。
【００２２】
第４の態様によれば、無線通信デバイス（ＷＣＤ）によって確立されるように要求されるプロトコルデータユニット（ＰＤＵ）セッションのためのインターネットプロトコル（ＩＰ）バージョンを動作可能に選択するように設定された、コアネットワーク中のセッション管理（ＳＭ）ノードであって、ＷＣＤがインターネットプロトコルバージョン４（ＩＰｖ４）とインターネットプロトコルバージョン６（ＩＰｖ６）の両方のＰＤＵセッションをサポートするＳＭノードが提示される。
本ＳＭノードは処理回路要素を備え、処理回路要素は、ＷＣＤに、
−  第１のＰＤＵセッションの確立を要求するＳＭ要求メッセージを受信することであって、ＳＭ要求メッセージは、要求された第１のＰＤＵセッションのＩＰバージョンがＩＰｖ４またはＩＰｖ６のうちのいずれか１つであるべきであることを指示するＩＰバージョン情報を含む、ＳＭ要求メッセージを受信することと、
−  ＳＭ要求メッセージを受信したことに応答して、要求された第１のＰＤＵセッションのためのＩＰバージョン（すなわちＩＰｖ４またはＩＰｖ６）を選択することと、
−  第１の応答メッセージを送信することであって、第１の応答メッセージが、要求された第１のＰＤＵセッションのために選択されたＩＰバージョン（すなわちＩＰｖ４またはＩＰｖ６）を指示するＷＣＤ情報を含む、第１の応答メッセージを送信することと
を動作可能に行わせるように設定される。
【００２３】
ＰＤＵセッションのためのＩＰバージョンを選択する上記の改善された方法は、他の代替形態と比較して追加のシグナリングをセーブする。特に、インターネットプロトコルバージョン４（ＩＰｖ４）とインターネットプロトコルバージョン６（ＩＰｖ６）の両方のＰＤＵセッションをサポートするＷＣＤが、初期に第１のＩＰバージョン（ＩＰｖ４またはＩＰｖ６）の単一のＰＤＵセッションを要求し、入手し、次いで、第２のＩＰバージョンのさらなるＰＤＵセッションを要求することが望まれ、可能にされるかどうかを決めることができる。言い換えれば、ＷＣＤが１つのＰＤＵセッションに満足しているとき、異なるＩＰバージョンをもつ２つのＰＤＵセッションが不必要に確立される危険がない。たとえば、ＩＰｖ６  ＰＤＵセッションが第１のＰＤＵセッションとして確立されたとき、第２のＩＰｖ４  ＰＤＵセッションをも確立することは、これがネットワークによって可能にされる場合でも、不必要であり得る。
【００２４】
本明細書の実施形態は、ＵＥまたは同様のものがＩＰｖ４バージョンとＩＰｖ６バージョンの両方をサポートする場合にＰＤＵセッションのために使用されるＩＰバージョンの５ＧＣネットワーク制御を提供する。また、ソリューションは、ＵＥまたは同様のものが、ＰＤＵセッションのために使用されないＩＰバージョンが５ＧＣネットワークによってサポートされるかどうかについて通知されるので、使用されるシグナリングを最適化する。このようにして、ＵＥまたは同様のものは、その他方のＩＰバージョンのためにＰＤＵセッションを要求することを試みる価値があるか否かを決めることができる。
【００２５】
概して、本開示において使用されるすべての用語は、本明細書で別段明示的に規定されない限り、本技術分野におけるその通例の意味に従って解釈されるべきである。「１つの（ａ／ａｎ）／その（ｔｈｅ）エレメント、装置、構成要素、手段、ステップなど」へのすべての言及は、別段明示的に述べられていない限り、そのエレメント、装置、構成要素、手段、ステップなどの少なくとも１つの事例を指すようにオープンに解釈されるべきである。本明細書で開示されるいずれの方法のステップも、明示的に述べられていない限り、開示される厳密な順序で実施される必要はない。
【００２６】
次に、添付の図面を参照しながら、例として、提案されるソリューションが説明される。
【図面の簡単な説明】
【００２７】
【図１】非ローミング事例における、例証する５Ｇシステムアーキテクチャを示す図である。
【図２】本明細書で提示される実施形態が適用され得る通信システム１００を示す概略図である。
【図３Ａ】本明細書で提示される方法の実施形態を示すフローチャートである。
【図３Ｂ】本明細書で提示される方法の実施形態を示すシグナリング図である。
【図４】本明細書で提示される方法の好ましい一実施形態を示すシグナリング図である。
【図５Ａ】一実施形態によるＷＣＤの機能ユニットを示す概略図である。
【図５Ｂ】一実施形態によるＳＭノードの機能ユニットを示す概略図である。
【図５Ｃ】一実施形態によるコンピュータ可読手段を備えるコンピュータプログラム製品の一例を示す図である。
【発明を実施するための形態】
【００２８】
次に、いくつかの実施形態が示されている添付の図面を参照しながら、提案されるソリューションが以下でより十分に説明される。ただし、これらの提案されるソリューションは、多くの異なる形態で具現化され得、本明細書に記載される実施形態に限定されるものとして解釈されるべきではなく、むしろ、これらの実施形態は、本開示が徹底的かつ完全であり、提案されるソリューションの範囲を当業者に十分に伝えるように、例として提供される。同様の番号は、説明全体にわたって同様のエレメントを指す。破線によって示される任意のステップまたは特徴は、随意と見なされるべきである。
【００２９】
５ＧシステムにおいてどのＩＰバージョン（ＩＰｖ４および／またはＩＰｖ６）をサポートすべきかに関する異なるオプションを扱うために、５ＧＣネットワークのためのいくつかの異なる組合せが考慮されなければならない。ＵＥは、ＩＰｖ４のみ、ＩＰｖ６のみ、またはＩＰｖ６＋ＩＰｖ４をサポートし得る。５ＧＣネットワークは、同様に、要求されたドメインネットワークネーム（ＤＮＮ）のために、ＩＰｖ４のみ、ＩＰｖ６のみ、またはＩＰｖ６＋ＩＰｖ４をサポートし得る。これに加えて、５ＧＣネットワークは、ＩＰｖ４とＩＰｖ６の両方がサポートされる場合、ＩＰｖ４のみをサポートするＵＥが接続することを可能にし、ならびにＩＰｖ６のみをサポートするＵＥが接続することを可能にし得る。したがって、考慮すべき７つの可能にされる組合せがある。
2022003795.tif 000003
【００３０】
上記の表中で識別された７つの可能にされる組合せに鑑みて、以下の所見が行われ得る。
１）  端末は、ネットワークに、サポートされるＰＤＵタイプ、たとえばタイプＩＰｖ４のＰＤＵセッション、タイプＩＰｖ６のＰＤＵセッション、または両方のＰＤＵタイプのＰＤＵセッションを告知する。
２）  ＩＰｖ４とＩＰｖ６の両方をサポートする端末は、デュアルＰＤＵセッション、つまりタイプＩＰｖ４のＰＤＵセッションならびにタイプＩＰｖ６のＰＤＵセッションをセットアップすることが可能である。
３）  ＩＰｖ４とＩＰｖ６の両方をサポートする端末は単一のＰＤＵセッションをセットアップすることが可能であり、単一のＰＤＵセッションはタイプＩＰｖ４またはタイプＩＰｖ６のものであり得る。
【００３１】
これをサポートするために、ＰＤＵセッションのセットアップを扱う３つの異なるソリューションが識別され得る。
Ａ．  第１の方法は、ＵＥが常に、２つのＰＤＵセッション、つまりタイプＩＰｖ４のＰＤＵセッションとタイプＩＰｖ６のＰＤＵセッションとをセットアップすることを試みるということである。
Ｂ．  別の手法は、常にＩＰバージョンのうちの一方を求め、他方のＩＰバージョンが同様にまたは代わりに使用されることになった場合、原因コードを使用することである。
Ｃ．  これを扱う第３のやり方は、両方のＩＰタイプをサポートするＵＥに、ＩＰｖ４とＩＰｖ６の両方を５ＧＣに要求することを許すことである。これは、ＵＥが、特定のＰＤＵセッションタイプを必要とはしないが、代わりにＩＰｖ４またはＩＰｖ６のいずれかを求めることを意味するであろう。
【００３２】
上記の選択肢Ａでは、ＵＥは、ＩＰｖ４  ＰＤＵセッションならびにＩＰｖ６  ＰＤＵセッションをセットアップすることを要求する。ＩＰｖ４セッションとＩＰｖ６セッションとの間の相関は必要とされないので、ＳＭＦの選択とＵＰＦの選択とは独立して行われ得る。この手法に関する欠点は、ＵＥが、１つのＩＰバージョンのみがサポートされるネットワークにおいても、デュアルＰＤＵセッションをセットアップすることを試みるということである。現在、５ＧＣにおいて、同じＮ１メッセージ中の異なる初期ＰＤＵセッションＩＤをターゲットにする複数のＮＡＳメッセージのサポートはなく、これは、この方法では、ネットワークにおいて１つのＩＰバージョンのみがサポートされることになる場合でも、追加のシグナリングがあることを意味する。どのＩＰバージョンを使用すべきかをＵＥが知ることを確実にするために、両方のＰＤＵセッションプロシージャは、使用されるＩＰバージョンの組合せに依存するいかなる機能性よりも前に、確定されるべきである。
【００３３】
選択肢Ｂでは、ＵＥは常にＩＰバージョンのうちの一方を求め、次いで、原因コードが５ＧＣによってＵＥに返信されて、ＵＥに、他方のＩＰバージョンのみがサポートされることになる場合、同様にまたは代わりに他方のＩＰバージョンを設定させ得る。これは、たとえば、最初にＩＰｖ６タイプのＰＤＵセッションをセットアップすることによって行われるであろう（これは、ＩＰｖ６が端末においてサポートされる通常の事例であろう）。ＩＰｖ６がネットワークにおいてサポートされる場合、このセッションはセットアップされ、他の場合、ＰＤＵセッションは、ＩＰｖ４がサポートされることを指示する原因コードによって拒絶される。ＩＰｖ６とＩＰｖ４の両方がネットワークによってサポートされる場合、デバイスがＩＰｖ４タイプのＰＤＵセッションをもセットアップし得ることをデバイスに告げるための、別の原因コードが必要とされる。現在、ＵＥは、デュアルスタックがサポートされるか否かにかかわらず、（第１のＰＤＵセッションセットアップ中に）即時情報を得ることに依拠している。このソリューションは、第１のソリューションＡよりも少ないシグナリングを伴ってその性質を保持するが、依然として、ＵＥによって要求される第１のＩＰバージョンが利用可能でない場合、不必要なシグナリングを生じる。
【００３４】
選択肢Ｃでは、ＩＰｖ４タイプとＩＰｖ６タイプの両方をサポートするＵＥが、常に両方のＩＰタイプを５ＧＣに要求することが示唆される。これは、ＵＥが初期に、タイプＩＰｖ４のＰＤＵセッションが作成されるのか、タイプＩＰｖ６のＰＤＵセッションが作成されるのかに気づいていないことを指示する。この方法は、選択肢Ｂに少し類似することになるが、選択肢Ｂと比較して、何らかの追加のシグナリングを節約する。たとえば、５ＧＣにおけるＩＰｖ４のみの設定では、ネットワークが第１の組み合わせられたＩＰｖ４／ＩＰｖ６要求中でＩＰｖ４要求を受け付けるので、ＩＰｖ４ネットワークによって拒否されるＩＰｖ６要求を最初に送信し、次いでＩＰｖ４要求を送信する必要がない。したがって、選択肢Ｃでは、タイプＩＰｖ４またはタイプＩＰｖ６の１つのＰＤＵセッションが常にセットアップされると仮定される。別のＩＰバージョンがサポートされることになる（ＰＤＵセッションタイプＩＰｖ６が最初に使用されることが好ましい）場合、これは、選択肢Ｂの場合のように、ＵＥが、そう決めた場合、他方のＩＰバージョン（ＩＰｖ４）のＰＤＵセッションを同様にセットアップすることができることをＵＥに告げる、原因コードを送信することによって通知される。
【００３５】
したがって、ＰＤＵセッション要求中でＩＰｖ４タイプとＩＰｖ６タイプの両方を５ＧＣに要求することは、シグナリングに関してより効率的である。
【００３６】
図２は、本明細書で提示される実施形態が適用され得る、無線通信システム１００を示す概略図である。通信システム１００は、好ましくは、図１中で提示される５Ｇシステムに対応する５Ｇシステムである。しかしながら、図１中の５Ｇシステムと同様の他の通信システムが、本明細書で提示される実施形態を適用するために確実に考慮され得る。
【００３７】
通信システム１００は、少なくとも１つの無線通信デバイス（ＷＣＤ）と、無線アクセスネットワーク（ＲＡＮ）と、少なくともモビリティ機能（ＭＦ）ノードを備えるコアネットワーク（ＣＮ）１０１と、セッション管理機能（ＳＭＦ）ノードとを備える。また、ユーザプレーン機能（ＵＰＦ）および他のコアネットワーク機能があり得る。システム１００は、前記少なくとも１つのＷＣＤが、データネットワークと情報を交換し、データネットワーク、および／あるいは、たとえばＡＦまたは同様のものなど、データネットワーク中のエンティティによって提供されるサービスへのアクセスを有することができるように、１つまたは複数のデータネットワークと通信する。
【００３８】
ＷＣＤの例は、限定はしないが、移動局、モバイルフォン、ハンドセット、無線ローカルループ電話、ユーザ機器（ＵＥ）または同様のもの、スマートフォン、ラップトップコンピュータ、およびタブレットコンピュータを含む。
【００３９】
図２中の無線アクセスネットワーク（ＲＡＮ）は、たとえば基地局または同様のものなど、いくつかのＲＡＮノードを備える。ＲＡＮノードは、一方の端部においてＷＣＤまたは同様のものとの、他方の端部において、ＷＣＤをサーブする５ＧＣネットワークまたは同様のものとの無線通信が可能な任意の無線アクセスエレメントであり得る。
【００４０】
図２中のモビリティ管理（ＭＭ）ノードは、好ましくは、５ＧＣ  ＡＭＦまたは同様のものである。ただし、ＭＦは、図２中のＷＣＤを含むいくつかのＷＣＤまたは同様のもののためのアクセス制御およびモビリティを管理する、任意のノードであり得る。好ましくは、ＭＦノードはまた、ネットワークスライス選択機能性などを含む。
【００４１】
図２中のセッション管理（ＳＭ）ノードは、好ましくは、５ＧＣ  ＳＭＦまたは同様のものである。ただし、ＳＭＦは、図２中のＷＣＤを含むいくつかのＷＣＤまたは同様のもののためのセッションをセットアップし、管理する、任意のノードであり得る。好ましくは、セッションのセットおよび管理は、たとえば５ＧＣ  ＰＣＧまたは同様のものから受信されたネットワークポリシーに従って行われる。
【００４２】
ＭＭノードとＳＭノードとは、本明細書では、交換可能な示された機能である。ＭＭノードおよびＳＭノードは、ハードウェアまたはソフトウェアあるいはハードウェアとソフトウェアとの組合せで実装され得る。ＭＭノードおよびＳＭノードは、当該の機能／ノードを論理的に形成する、１つの単一のノードにおいて、あるいは２つの別個のノードにおいて、あるいは１つまたは複数のサブノードまたは同様のものにおいて、実装され得る。サブノードは、同じ地理的ロケーションまたは異なる地理的ロケーションに位置し得る。
【００４３】
当業者が理解するように、通信システム１００は複数のＷＣＤを備え得、本明細書で開示される実施形態は、ＷＣＤをサーブするいかなる特定の数のＲＡＮノードにも、またはいかなる特定の数のＭＭノードまたはＳＭノードにも限定されない。
【００４４】
本明細書で開示される実施形態は、ＰＤＵセッションのためのＩＰバージョンの選択を改善するための方法に、および本方法を実施するためのノード／機能に関する。
【００４５】
図３Ａは、ＷＣＤのためのＰＤＵセッション確立における、ＰＤＵセッションのためのＩＰバージョンの選択を改善するための方法の実施形態を示す、フローチャートである。
【００４６】
図３Ａ中のアクションＳ１１０〜Ｓ１４０は、本明細書で説明される実施形態を示すシグナリング図を示す、図３Ｂに示される、同じ参照番号をもつアクションに対応する。図３Ｂ中のノード／機能は、同じ参照番号をもつ、図２中のノード／機能に対応する。本方法は、ＩＰｖ４タイプとＩＰｖ６タイプの両方のＰＤＵセッションをサポートするＷＣＤによって実施される。ＷＣＤは、ＲＡＮを介して、無線通信システム１００のコアネットワーク１０１中のＳＭノードと動作可能に通信するように設定される。本方法は、ＰＤＵセッション確立においてＷＣＤによってアドレス指定されたＳＭノードによって、対応する様式で実施される。
【００４７】
図３Ａ中のフローチャートの１つのアクションＳ１１０において、ＩＰｖ４タイプとＩＰｖ６タイプの両方のＰＤＵセッションをサポートするＷＣＤは、好ましくはＭＭノードを介して、ＳＭノードに向けて第１のＰＤＵセッション要求メッセージを送信する。ＰＤＵセッション要求メッセージは、ＰＤＵセッションの確立を要求する。たとえば、５ＧＣネットワークにおいて、このメッセージは、図１中で指示されているＮ１インターフェースを介して送信され得る。
【００４８】
第１のＰＤＵセッション要求メッセージは、ＷＣＤによって要求された単一のＰＤＵセッションのＩＰバージョンが、ＩＰバージョン４（ＩＰｖ４）またはＩＰバージョン６（ＩＰｖ６）のうちのいずれか一方であり得ることを指示する、ＩＰバージョン情報を含む。ＩＰバージョン情報は、受信ＳＭノードに、ＷＣＤによるＰＤＵセッション要求がＩＰｖ４またはＩＰｖ６のいずれかのＩＰバージョンをもつ単一のＰＤＵセッションの確立によって満たされることを指示する、任意の好適な情報であり得る。受信ＳＭノードに、これは、ＷＣＤが、要求されたＰＤＵセッションのために特定のＩＰバージョン（ＩＰｖ４またはＩＰｖ６）を必要としないことを指示する。言い換えれば、ＷＣＤは、第１のＰＤＵセッション要求がＩＰｖ４またはＩＰｖ６の単一のＰＤＵセッションの確立によって満たされることを指示する。
【００４９】
ＰＤＵセッション要求メッセージは、ＩＰバージョン情報を搬送することができる任意のメッセージであり得る。第１のＰＤＵセッション要求メッセージがＰＤＵセッション確立要求メッセージであること、および／またはＰＤＵセッション要求メッセージが非アクセス層（ＮＡＳ）メッセージであることが好ましい。
【００５０】
別のアクションＳ１２０において、ＭＭノードが、ＰＤＵセッション要求メッセージを受信したことに応答して、ＳＭノードにＳＭ要求メッセージを送信することによって第１のＰＤＵセッション要求をフォワーディングすることが好ましい。ＳＭ要求メッセージは、上記のＰＤＵセッション要求メッセージと同様の様式で、ＩＰｖ４タイプまたはＩＰｖ６タイプのいずれかの単一のＰＤＵセッションがＷＣＤによって要求されることを指示する情報を含む。
【００５１】
ＳＭ要求メッセージは、ＩＰｖ４タイプまたはＩＰｖ６タイプのいずれかの単一のＰＤＵセッションがＷＣＤによって要求されることを指示する情報を搬送することができる任意のメッセージであり得る。この情報は、たとえば、上記のステップ１１０においてＷＣＤによって送信されるＩＰバージョン情報または同様のものであり得る。たとえば、５ＧＣネットワークにおいて、ＳＭ要求メッセージは、図１中で指示されているＮ１１インターフェースを介して送信され得る。
【００５２】
別のアクションＳ１３０ａにおいて、ＳＭノードが、上記のＳＭ要求メッセージを受信したことに応答して、要求されたＰＤＵセッションのためのＩＰバージョンとして、ＩＰｖ４またはＩＰｖ６のいずれかを選択することが好ましい。この選択は、たとえば、ＳＭノードにローカルに記憶された、または他のノード／機能からＳＭノードによって容易にアクセス可能な、ＤＮＮ設定、および／またはオペレータポリシー、および／または他のパラメータに基づいて行われ得る。
【００５３】
５ＧＣネットワークにおいて、ＳＭＦは、選択されたＰＤＵタイプに基づいてＩＰアドレス管理プロシージャを実施する。ＩＰｖ４  ＰＤＵタイプが選択された場合、ＩＰｖ４アドレスがＵＥに割り当てられる。同様に、ＩＰｖ６  ＰＤＵタイプが選択された場合、ＩＰｖ６プレフィックスが割り当てられる。ＳＭＦは、ＵＥ  ＩＰアドレス管理関係メッセージを処理し、対応する状態情報を維持し、ＵＥに応答メッセージを提供する。さらに、ＵＥ  ＩＰアドレスが外部データネットワークから取得された場合、ＳＭＦはまた、外部データネットワークに、割り当て、更新およびリリース関係要求メッセージを送信し、対応する状態情報を維持する。
【００５４】
別のアクションＳ１３０ｂにおいて、要求されたＰＤＮセッションのためのＩＰバージョンがＳＭノードによって選択されると、ＳＭノードが好ましく、次いで、図２〜図３中のＳＭノードが、好ましくはＭＭノードを介して、ＷＣＤに向けてＳＭ応答メッセージを送信することによって、第１のＰＤＵセッション要求に応答することが好ましい。ＳＭ応答メッセージは、要求されたＰＤＵセッションのために選択されたＩＰバージョン（すなわちＩＰｖ４またはＩＰｖ６）を指示するＷＣＤ情報を含む。随意に、ＳＭノードは、他方のＩＰバージョン、すなわち、ＩＰｖ６が選択された場合はＩＰｖ４、およびＩＰｖ４が選択された場合はＩＰｖ６もサポートされるかどうかを、ＷＣＤ情報中で指示し得る。他方のＩＰバージョンがサポートされる場合、ＷＣＤは、同じＤＮＮに、他方のＩＰバージョンのための別のＰＤＵセッションを要求し得る。
【００５５】
ＳＭ応答メッセージは、要求されたＰＤＵセッションのために選択されたＩＰバージョンを指示する情報を搬送することができる任意のメッセージであり得る。たとえば、５ＧＣネットワークにおいて、ＳＭ応答メッセージは、図１中で指示されているＮ１１インターフェースを介して送信され得る。
【００５６】
別のアクションＳ１４０において、ＭＭノードが、上記のＳＭ応答メッセージを受信したことに応答して、ＷＣＤに向けてＭＭ応答メッセージを送信することによって、ＳＭノードからの第１のＰＤＵセッション要求に対する応答をフォワーディングすることが好ましい。ＭＭ応答メッセージは、要求されたＰＤＵセッションのためにＳＭノードによって選択されたＩＰバージョンを指示する情報、および随意に、選択されなかった他方のＩＰタイプもサポートされるかどうかを指示する情報を含む。この情報は、上記のステップ１３０においてＳＭノードによって送信されるＷＣＤ情報または同様のものであり得る。
【００５７】
ＭＭ応答メッセージは、ＰＤＵセッションのために選択されたＩＰバージョンを指示する情報、および随意に、他方のＩＰタイプが５ＧＣネットワークによってサポートされるかどうかを指示する情報を搬送することができる任意のメッセージであり得る。たとえば、５ＧＣネットワークにおいて、ＭＭ応答メッセージは、図１中で指示されているＮ１インターフェースを介して、またはＲＡＮおよびＮ２インターフェースを介して送信され得る。
【００５８】
別のアクションＳ１５０において、ＷＣＤ情報中で、他方のＩＰバージョン、すなわち、ＩＰｖ６が選択された場合はＩＰｖ４、およびＩＰｖ４が選択された場合はＩＰｖ６もサポートされることが指示されたとき、ＩＰｖ４とＩＰｖ６の両方のＰＤＵセッションをサポートするＷＣＤが、ＳＭノードに向けて、他方のタイプの第２のＰＤＵセッションを要求する第２のＰＤＵセッション要求メッセージを送信することが好ましい。第２のＰＤＵセッション要求メッセージがＰＤＵセッション確立要求メッセージであること、および／または第２のＰＤＵセッション要求メッセージが非アクセス層（ＮＡＳ）メッセージであることが好ましい。
【００５９】
図３Ｂは、ＷＣＤのためのＰＤＵセッション確立における、ＰＤＵセッションのためのＩＰバージョンの選択を改善するための方法の実施形態を示すシグナリング図である。図３Ｂ中のアクションは、以下で指示されるように、図３Ａ中のアクションに対応する。さらに、図３Ｂ中のアクションは、以下で指示されるように、図４中のステップにも対応する。図４は、３ＧＰＰ技術仕様ＴＳ２３．５０２  Ｖ０．３．０（２０１７−０３）節４．３．２および図４．３．２．２−１においてより詳細に説明される、非ローミング、およびローカルブレークアウトを用いるローミングのための、ＵＥ要求ＰＤＵセッション確立を示すシグナリング図である。
【００６０】
図３Ｂのシグナリング図中のアクションＳ１１０は、好ましくは、図３Ａを参照しながら上記で説明されたアクションＳ１１０と同じであるかまたはまったく同様である。
【００６１】
例示的な実施形態では、アクション１１０は、要求されたＰＤＵセッションのＩＰバージョンがＩＰｖ４またはＩＰｖ６のうちのいずれか１つであり得ることを指示する上記で説明されたＩＰバージョン情報または同様のものを追加した、本明細書の図４中で指示されている、ＴＳ２３．５０２  節４．３．２  図４．３．２．２−１  ステップ１におけるＰＤＵセッション確立要求に対応する。
【００６２】
ＴＳ２３．５０２  節４．３．２  図４．３．２．２−１では、ステップ１が以下の様式で説明される。
「ＵＥからＡＭＦに：ＮＡＳメッセージ（Ｓ−ＮＳＳＡＩ、ＤＮＮ、ＰＤＵセッションＩＤ、要求タイプ、Ｎ１  ＳＭ情報）。新しいＰＤＵセッションを確立するために、ＵＥは、新しいＰＤＵセッションＩＤを生成する。ＵＥは、Ｎ１  ＳＭ情報内にＰＤＵセッション確立要求を含んでいるＮＡＳメッセージの送信によって、ＵＥ要求ＰＤＵセッション確立プロシージャを開始する。ＰＤＵセッション確立要求は、ＰＤＵタイプ、ＳＳＣモード、プロトコル設定オプションを含み得る。要求タイプは、ＰＤＵセッション確立が新しいＰＤＵセッションを確立するための要求である場合、「初期要求」を指示し、その要求が３ＧＰＰアクセスと非３ＧＰＰアクセスとの間の既存のＰＤＵセッションを指す場合、「既存のＰＤＵセッション」を指示する。ＵＥによって送信されたＮＡＳメッセージは、ＡＮによって、ＡＭＦに向かうＮ２メッセージ中にカプセル化され、Ｎ２メッセージは、ユーザロケーション情報とアクセス技術タイプ情報とを含むべきである。Ｎ１  ＳＭ情報は、外部ＤＮによるＰＤＵセッション許可のための情報を含んでいるＳＭ  ＰＤＵ  ＤＮ要求コンテナを含んでいることがある。
【００６３】
図３Ｂのシグナリング図中のアクションＳ１２０は、好ましくは、図３Ａを参照しながら上記で説明されたアクションＳ１２０と同じであるかまたはまったく同様である。
【００６４】
例示的な実施形態では、アクション１２０は、要求されたＰＤＵセッションのＩＰバージョンがＩＰｖ４またはＩＰｖ６のうちのいずれか１つであり得ることを指示する上記で説明されたＩＰバージョン情報または同様のものを追加した、本明細書の図４中で指示されている、ＴＳ２３．５０２  節４．３．２  図４．３．２．２−１  ステップ３におけるＳＭ要求に対応する。
【００６５】
ＴＳ２３．５０２  節４．３．２  図４．３．２．２−１では、ステップ３が以下の様式で説明される。
「３．ＡＭＦからＳＭＦに：ＳＭ要求（サブスクライバ固定ＩＤ、ＤＮＮ、Ｓ−ＮＳＳＡＩ、ＰＤＵセッションＩＤ、ＡＭＦ  ＩＤ、Ｎ１  ＳＭ情報（ＰＤＵセッションＩＤ、ＰＤＵセッション確立要求）、ユーザロケーション情報、アクセス技術タイプ）。」
【００６６】
図３Ｂのシグナリング図中のアクションＳ１３０は、好ましくは、図３Ａを参照しながら上記で説明されたアクションＳ１３０と同じであるかまたはまったく同様である。
【００６７】
例示的な実施形態では、アクション１３０は、要求されたＰＤＵセッションのために選択されたＩＰバージョン（すなわちＩＰｖ４またはＩＰｖ６）を指示する上記で説明されたＷＣＤ情報または同様のものを追加した、本明細書の図４中で指示されている、ＴＳ２３．５０２  節４．３．２  図４．３．２．２−１  ステップ１０におけるＳＭ応答に対応する。
【００６８】
ＴＳ２３．５０２  節４．３．２  図４．３．２．２−１では、ステップ１０が以下の様式で説明される。
「１０．ＳＭＦからＡＭＦに：ＳＭ応答（原因、Ｎ２  ＳＭ情報（ＰＤＵセッションＩＤ、（１つまたは複数の）ＱｏＳプロファイル、ＣＮトンネル情報）、Ｎ１  ＳＭ情報（ＰＤＵセッション確立受付（許可されたＱｏＳルール、ＳＳＣモード、Ｓ−ＮＳＳＡＩ、割り当てられたＩＰｖ４アドレス）））。
編集者の注：ＡＭＦとＳＭＦとがＮ１１トランザクションを対応するＵＥコンテキストにどのように関連付けるかは、ＦＦＳである。
Ｎ２  ＳＭ情報は、ＡＭＦが（Ｒ）ＡＮにフォワーディングする情報を搬送し、この情報は以下を含む。
ＣＮトンネル情報は、ＰＤＵセッションに対応するＮ３トンネルのコアネットワークアドレスに対応する。
ＱｏＳプロファイルは、（Ｒ）ＡＮに、ＱｏＳパラメータとＱｏＳフロー識別子との間のマッピングを提供する。複数のＱｏＳプロファイルが（Ｒ）ＡＮに提供され得る。これは、ＴＳ２３．５０１〔２〕節５．７においてさらに説明される。
ＰＤＵセッションＩＤは、ＡＮリソースとＵＥのためのＰＤＵセッションとの間の関連付けをＵＥに指示するために、ＵＥとシグナリングするＡＮによって使用され得る。
Ｎ１  ＳＭ情報は、ＡＭＦがＵＥに提供するＰＤＵセッション確立受付を含んでいる。
複数の許可されたＱｏＳルールが、Ｎ１  ＳＭ情報内のＰＤＵセッション確立受付中におよびＮ２  ＳＭ情報中に含まれ得る。
ＳＭ応答は、ＡＭＦが、ターゲットＵＥがどれであるかを知ること、ならびにＵＥに向けてどのアクセスを使用すべきかを決定することを可能にする、ＰＤＵセッションＩＤおよび情報をさらに含んでいる。
注：アクセス情報は、ＵＥが３ＧＰＰおよび非３ＧＰＰアクセス上で同時に接続される事例に対処することになる。
編集者の注：ＡＭＦがＵＥに向けてどのアクセスを使用すべきかを決定することを可能にする情報の性質を決定するために、さらなる研究が必要とされる。」
【００６９】
図３Ｂのシグナリング図中のアクションＳ１４０は、好ましくは、図３Ａを参照しながら上記で説明されたアクションＳ１４０と同じであるかまたはまったく同様である。
【００７０】
例示的な実施形態では、アクション１４４０は、要求されたＰＤＵセッションのために選択されたＩＰバージョン（すなわちＩＰｖ４またはＩＰｖ６）、および随意に、他方のＩＰバージョン、すなわちＩＰｖ６が選択された場合はＩＰｖ４、およびＩＰｖ４が選択された場合はＩＰｖ６もサポートされるかどうかを指示する、ＷＣＤ情報または同様のものを追加した、本明細書の図４中で指示されている、ＴＳ２３．５０２  節４．３．２  図４．３．２．２−１  ステップ１１および１２におけるＳＭ応答に対応する。
【００７１】
ＴＳ２３．５０２  節４．３．２  図４．３．２．２−１では、ステップ１１および１２が以下の様式で説明される。
「１１．  ＡＭＦから（Ｒ）ＡＮに：Ｎ２  ＰＤＵセッション要求（Ｎ２  ＳＭ情報、ＮＡＳメッセージ（ＰＤＵセッションＩＤ、ＰＤＵセッション確立受付））。
ＡＭＦは、ＵＥをターゲットにしたＰＤＵセッションＩＤおよびＰＤＵセッション確立受付、ならびに（Ｒ）ＡＮへのＮ２  ＰＤＵセッション要求内の、ＳＭＦから受信されたＮ２  ＳＭ情報を含んでいる、ＮＡＳメッセージを送信する。
１２．  （Ｒ）ＡＮからＵＥに：（Ｒ）ＡＮは、ＳＭＦから受信された情報に関係する、ＵＥとのＡＮ固有シグナリング交換を発行し得る。たとえば、３ＧＰＰ  ＲＡＮの場合、ＵＥが、ステップ１０において受信された、ＰＤＵセッション要求のための許可されたＱｏＳルールに関係する必要なＲＡＮリソースを確立する、ＲＲＣ接続再設定が行われ得る。
（Ｒ）ＡＮはまた、ＰＤＵセッションのための（Ｒ）ＡＮ  Ｎ３トンネル情報を割り当てる。
（Ｒ）ＡＮは、ステップ１０において提供されたＮＡＳメッセージ（ＰＤＵセッションＩＤ、Ｎ１  ＳＭ情報（ＰＤＵセッション確立受付））をＵＥにフォワーディングする。（Ｒ）ＡＮは、必要なＲＡＮリソースが確立され、（Ｒ）ＡＮトンネル情報の割り当てが成功した場合にのみ、ＵＥにＮＡＳメッセージを提供する。」
【００７２】
図５Ａは、いくつかの機能ユニットに関して、一実施形態によるＷＣＤの構成要素を概略的に示す。処理回路要素２１０は、たとえば、記憶媒体４３０の形態で（図５Ｃにあるように）コンピュータプログラム製品４１０ｂに記憶されたソフトウェア命令を実行することが可能な、好適な中央処理ユニット（ＣＰＵ）、マルチプロセッサ、マイクロコントローラ、デジタル信号プロセッサ（ＤＳＰ）、特定用途向け集積回路（ＡＳＩＣ）、フィールドプログラマブルゲートアレイ（ＦＰＧＡ）などのうちの１つまたは複数の任意の組合せを使用して提供される。
【００７３】
特に、処理回路要素２１０は、ＷＣＤに、動作またはステップのセット、Ｓ１１０、１４０およびＳ１５０を実施させるように設定される。これらの動作またはステップは、上記で説明された。たとえば、記憶媒体２３０が動作のセットを記憶し得、処理回路要素２１０は、動作のセットをＷＣＤに実施させるために、記憶媒体２３０から動作のセットを取り出すように設定され得る。動作のセットは、実行可能な命令のセットとして提供され得る。したがって、それにより、処理回路要素２１０は、本明細書で開示される方法を実行するように構成される。
【００７４】
記憶媒体２３０はまた、たとえば、磁気メモリ、光メモリ、固体メモリ、さらにはリモートに搭載されるメモリのうちのいずれか単独の１つまたは組合せであり得る、永続記憶装置を備え得る。
【００７５】
ＷＣＤは、少なくとも、ＲＡＮとの通信、ＲＡＮを介したＭＭノードとの通信、ならびにＲＡＮおよびＭＭノードを介したＳＭノードとの通信のための、通信インターフェース２２０をさらに備え得る。したがって、通信インターフェース２２０は１つまたは複数の送信機および受信機を備え得、アナログおよびデジタル構成要素と、好適な数の、無線通信のためのアンテナと、有線通信のためのポートとを備え得る。
【００７６】
処理回路要素２１０は、たとえば、データおよび制御信号を通信インターフェース２２０および記憶媒体２３０に送信することによって、データおよび報告を通信インターフェース２２０から受信することによって、ならびにデータおよび命令を記憶媒体２３０から取り出すことによって、ＷＣＤの全般の動作を制御する。ＷＣＤの他の構成要素、ならびに関係する機能性は、本明細書で提示される概念を曖昧にしないように省略される。
【００７７】
図５Ｂは、いくつかの機能ユニットに関して、一実施形態によるＳＭノードの構成要素を概略的に示す。処理回路要素３１０は、たとえば、記憶媒体４３０の形態で（図５Ｃにあるように）コンピュータプログラム製品４１０ｂに記憶されたソフトウェア命令を実行することが可能な、好適な中央処理ユニット（ＣＰＵ）、マルチプロセッサ、マイクロコントローラ、デジタル信号プロセッサ（ＤＳＰ）、特定用途向け集積回路（ＡＳＩＣ）、フィールドプログラマブルゲートアレイ（ＦＰＧＡ）などのうちの１つまたは複数の任意の組合せを使用して提供される。
【００７８】
特に、処理回路要素３１０は、ＳＭノードに、動作またはステップのセット、Ｓ１２０、Ｓ１３０ａ、Ｓ１３０ｂを実施させるように設定される。これらの動作またはステップは、上記で説明された。たとえば、記憶媒体３３０が動作のセットを記憶し得、処理回路要素３１０は、動作のセットをＳＭノードに実施させるために、記憶媒体３３０から動作のセットを取り出すように設定され得る。動作のセットは、実行可能な命令のセットとして提供され得る。したがって、それにより、処理回路要素３１０は、本明細書で開示される方法を実行するように構成される。
【００７９】
記憶媒体３３０はまた、たとえば、磁気メモリ、光メモリ、固体メモリ、さらにはリモートに搭載されるメモリのうちのいずれか単独の１つまたは組合せであり得る、永続記憶装置を備え得る。
【００８０】
ＳＭノードは、少なくとも、ＭＭノードとの通信、またＭＭノードおよびＲＡＮを介したＷＣＤとの通信のための、通信インターフェース３２０をさらに備え得る。したがって、通信インターフェース３２０は１つまたは複数の送信機および受信機を備え得、アナログおよびデジタル構成要素と、好適な数の、無線通信のためのアンテナと、有線通信のためのポートとを備え得る。
【００８１】
処理回路要素３１０は、たとえば、データおよび制御信号を通信インターフェース３２０および記憶媒体３３０に送信することによって、データおよび報告を通信インターフェース３２０から受信することによって、ならびにデータおよび命令を記憶媒体３３０から取り出すことによって、ＳＭノードの全般の動作を制御する。ＷＣＤの他の構成要素、ならびに関係する機能性は、本明細書で提示される概念を曖昧にしないように省略される。
【００８２】
図５Ｃは、コンピュータ可読手段４３０を備えるコンピュータプログラム製品４１０ａ、４１０ｂの一例を示す。このコンピュータ可読手段４３０上に、コンピュータプログラム４２０ａが記憶され得、そのコンピュータプログラム４２０ａは、処理回路要素３１０に、ならびに通信インターフェース３２０および記憶媒体３３０など、処理回路要素３１０に動作可能に結合されたエンティティおよびデバイスに、本明細書で説明される実施形態による方法を実行させることができる。したがって、コンピュータプログラム４２０ａおよび／またはコンピュータプログラム製品４１０ａは、本明細書で開示される、ＷＣＤ１５０ａ、１５０ｂの任意のステップを実施するための手段を提供し得る。このコンピュータ可読手段４３０上に、コンピュータプログラム４２０ｂが記憶され得、そのコンピュータプログラム４２０ｂは、処理回路要素３１０に、ならびに通信インターフェース３２０および記憶媒体３３０など、処理回路要素３１０に動作可能に結合されたエンティティおよびデバイスに、本明細書で説明される実施形態による方法を実行させることができる。したがって、コンピュータプログラム４２０ｂおよび／またはコンピュータプログラム製品４１０ｂは、本明細書で開示される、ＷＣＤ１５０ａ、１５０ｂの任意のステップを実施するための手段を提供し得る。
【００８３】
図５Ｃの例では、コンピュータプログラム製品４１０ａ、４１０ｂは、ＣＤ（コンパクトディスク）またはＤＶＤ（デジタル多用途ディスク）またはＢｌｕ−Ｒａｙディスクなど、光ディスクとして示されている。コンピュータプログラム製品４１０ａ、４１０ｂはまた、ランダムアクセスメモリ（ＲＡＭ）、読取り専用メモリ（ＲＯＭ）、消去可能プログラマブル読取り専用メモリ（ＥＰＲＯＭ）または電気的消去可能プログラマブル読取り専用メモリ（ＥＥＰＲＯＭ）など、メモリとして、より詳細には、ＵＳＢ（ユニバーサルシリアルバス）メモリ、またはコンパクトフラッシュメモリなどのフラッシュメモリなど、外部メモリにおけるデバイスの不揮発性記憶媒体として具現化され得る。したがって、コンピュータプログラム４２０ａ、４２０ｂは、ここでは、示された光学ディスク上のトラックとして概略的に示されているが、コンピュータプログラム４２０ａ、４２０ｂは、コンピュータプログラム製品４１０ａ、４１０ｂに好適な任意のやり方で記憶され得る。
【００８４】
提案されるソリューションが、主に、数個の実施形態を参照しながら上記で説明された。これらの実施形態のいくつかは、列挙される／項目別にあげられる例証する実施形態のリストを使用する以下の様式で、要約され得る。
【００８５】
１．  無線通信デバイス（ＷＣＤ）によって確立されるように要求されるプロトコルデータユニット（ＰＤＵ）セッションのためのインターネットプロトコル（ＩＰ）バージョン選択のための方法であって、ＷＣＤがインターネットプロトコルバージョン４（ＩＰｖ４）とインターネットプロトコルバージョン６（ＩＰｖ６）の両方のＰＤＵセッションをサポートし、ＷＣＤが、無線アクセスネットワーク（ＲＡＮ）を介してコアネットワーク（１０１）中のセッション管理（ＳＭ）ノードと動作可能に通信するように設定され、方法はＷＣＤによって実施され、
−  ＳＭノードに向けて、第１のＰＤＵセッションの確立を要求する第１のＰＤＵセッション要求メッセージを送信すること（Ｓ１１０）であって、第１のＰＤＵセッション要求メッセージは、要求された第１のＰＤＵセッションのＩＰバージョンがＩＰｖ４またはＩＰｖ６のうちのいずれか１つであるべきであることを指示するＩＰバージョン情報を含む、第１のＰＤＵセッション要求メッセージを送信すること（Ｓ１１０）と、
−  第１のＰＤＵセッション要求メッセージを送信したことに応答して第１の応答メッセージを受信すること（Ｓ１３０、Ｓ１４０）であって、第１の応答メッセージが、要求された第１のＰＤＵセッションのために選択されたＩＰバージョン（すなわちＩＰｖ４またはＩＰｖ６）を指示するＷＣＤ情報を含む、第１の応答メッセージを受信すること（Ｓ１３０、Ｓ１４０）と
を含む、方法。
【００８６】
２．  第１の要求メッセージがＰＤＵセッション確立要求メッセージである、項目１に記載の方法。
【００８７】
３．  第１の応答メッセージが、ＷＣＤ情報を含むＮＡＳメッセージである、項目１または２に記載の方法。
【００８８】
４．  ＷＣＤ情報は、選択されなかった他方のＩＰタイプ（ＩＰｖ６が選択された場合はＩＰｖ４、およびＩＰｖ４が選択された場合はＩＰｖ６）もサポートされることをさらに指示し、方法はＷＣＤによって実施され、
−  ＳＭノードに向けて、第２のＰＤＵセッションの確立を要求する第２のＰＤＵセッション要求メッセージを送信すること（Ｓ１１０）であって、第２のＰＤＵセッション要求メッセージは、要求された第２のＰＤＵセッションのＩＰバージョンが、前に選択されなかったＩＰｖ４またはＩＰｖ６のうちのいずれか１つであるべきであることを指示するＩＰバージョン情報を含む、第２のＰＤＵセッション要求メッセージを送信すること（Ｓ１１０）
を含む、項目１から３のいずれか１つに記載の方法。
【００８９】
５．  インターネットプロトコルバージョン４（ＩＰｖ４）とインターネットプロトコルバージョン６（ＩＰｖ６）の両方のＰＤＵセッションを動作可能にサポートし、無線アクセスネットワーク（ＲＡＮ）を介してコアネットワーク（１０１）中のセッション管理（ＳＭ）ノードと動作可能に通信するように設定された、無線通信デバイス（ＷＣＤ）であって、ＷＣＤが処理回路要素（２１０）を備え、処理回路要素は、ＷＣＤに、
−  ＳＭノードに向けて、第１のＰＤＵセッションの確立を要求する第１のＰＤＵセッション要求メッセージを送信すること（Ｓ１１０）であって、第１のＰＤＵセッション要求メッセージは、要求された第１のＰＤＵセッションのＩＰバージョンがＩＰｖ４またはＩＰｖ６のうちのいずれか１つであるべきであることを指示するＩＰバージョン情報を含む、第１のＰＤＵセッション要求メッセージを送信すること（Ｓ１１０）と、
−  第１のＰＤＵセッション要求メッセージを送信したことに応答して第１の応答メッセージを受信すること（Ｓ１３０、Ｓ１４０）であって、第１の応答メッセージが、要求された第１のＰＤＵセッションのために選択されたＩＰバージョン（すなわちＩＰｖ４またはＩＰｖ６）を指示するＷＣＤ情報を含む、第１の応答メッセージを受信すること（Ｓ１３０、Ｓ１４０）と
を動作可能に行わせるように設定された、無線通信デバイス（ＷＣＤ）。
【００９０】
６．  無線通信デバイス（ＷＣＤ）によって確立されるように要求されるプロトコルデータユニット（ＰＤＵ）セッションのためのインターネットプロトコル（ＩＰ）バージョン選択のための方法であって、ＷＣＤがインターネットプロトコルバージョン４（ＩＰｖ４）とインターネットプロトコルバージョン６（ＩＰｖ６）の両方のＰＤＵセッションをサポートし、ＷＣＤが、無線アクセスネットワーク（ＲＡＮ）を介してコアネットワーク（１０１）中のセッション管理（ＳＭ）ノードと動作可能に通信するように設定され、方法はＳＭノードによって実施され、
−  第１のＰＤＵセッションの確立を要求するＳＭ要求メッセージを受信すること（Ｓ１２０）であって、ＳＭ要求メッセージは、要求された第１のＰＤＵセッションのＩＰバージョンがＩＰｖ４またはＩＰｖ６のうちのいずれか１つであるべきであることを指示するＩＰバージョン情報を含む、ＳＭ要求メッセージを受信すること（Ｓ１２０）と、
−  ＳＭ要求メッセージを受信したことに応答して、要求された第１のＰＤＵセッションのためのＩＰバージョン（すなわちＩＰｖ４またはＩＰｖ６）を選択すること（Ｓ１３０ａ）と、
−  第１の応答メッセージを送信すること（Ｓ１３０ｂ、１４０）であって、第１の応答メッセージが、要求された第１のＰＤＵセッションのために選択されたＩＰバージョン（すなわちＩＰｖ４またはＩＰｖ６）を指示するＷＣＤ情報を含む、第１の応答メッセージを送信すること（Ｓ１３０ｂ、１４０）と
を含む、方法。
【００９１】
７．  選択されていない他方のＩＰタイプ（ＩＰｖ６が選択された場合はＩＰｖ４、およびＩＰｖ４が選択された場合はＩＰｖ６）もサポートされることがＷＣＤ情報中でさらに指示される、項目６に記載の方法。
【００９２】
８．  無線通信デバイス（ＷＣＤ）によって確立されるように要求されるプロトコルデータユニット（ＰＤＵ）セッションのためのインターネットプロトコル（ＩＰ）バージョンを動作可能に選択するように設定された、コアネットワーク（１０１）中のセッション管理（ＳＭ）ノードであって、ＷＣＤがインターネットプロトコルバージョン４（ＩＰｖ４）とインターネットプロトコルバージョン６（ＩＰｖ６）の両方のＰＤＵセッションをサポートし、ＳＭノードが処理回路要素（３１０）を備え、処理回路要素は、ＷＣＤに、
−  第１のＰＤＵセッションの確立を要求するＳＭ要求メッセージを受信すること（Ｓ１２０）であって、ＳＭ要求メッセージは、要求された第１のＰＤＵセッションのＩＰバージョンがＩＰｖ４またはＩＰｖ６のうちのいずれか１つであるべきであることを指示するＩＰバージョン情報を含む、ＳＭ要求メッセージを受信すること（Ｓ１２０）と、
−  ＳＭ要求メッセージを受信したことに応答して、要求された第１のＰＤＵセッションのためのＩＰバージョン（すなわちＩＰｖ４またはＩＰｖ６）を選択すること（Ｓ１３０ａ）と、
−  第１の応答メッセージを送信すること（Ｓ１３０ｂ、１４０）であって、第１の応答メッセージが、要求された第１のＰＤＵセッションのために選択されたＩＰバージョン（すなわちＩＰｖ４またはＩＰｖ６）を指示するＷＣＤ情報を含む、第１の応答メッセージを送信すること（Ｓ１３０ｂ、１４０）と
を動作可能に行わせるように設定された、セッション管理（ＳＭ）ノード。
【００９３】
９．  ＳＭノードは、選択されていない他方のＩＰタイプ（ＩＰｖ６が選択された場合はＩＰｖ４、およびＩＰｖ４が選択された場合はＩＰｖ６）もサポートされることをＷＣＤ情報中でさらに指示するように動作可能に設定された、項目８に記載のＳＭノード。
【００９４】
本開示の様々な態様および実施形態が上記で説明されたが、それらの態様および実施形態は、限定ではなく、例として提示されたにすぎないことを理解されたい。したがって、本開示の広さおよび範囲は、上記で説明された例示的な実施形態のうちのいずれによっても限定されるべきでない。その上、本明細書で別段に指示されていない限り、またはコンテキストによって明確に否定されていない限り、本開示で説明されたエレメントの、それらのすべての考えられる変形形態における任意の組合せが、本開示によって包含される。
【００９５】
さらに、本明細書で説明され、図面に示されたアクションおよびプロセスは、ステップのシーケンスとして示されたが、これは、説明のためにのみ行われた。したがって、いくつかのステップが追加され得、いくつかのステップが省略され得、ステップの順序が並べ替えられ得、いくつかのステップが並行して実施され得ることが企図される。
【図１】
2022003795.tif 000004
【図２】
2022003795.tif 000005
【図３】
2022003795.tif 000006
【図４】
2022003795.tif 000007
【図５】
2022003795.tif 000008
【外国語明細書】
2022003795000001.pdf